(57)【要約】【課題】携帯電話装置などにおいて、印象的で面白みのある着信報知を行う。【解決手段】着信報知信号データをダウンロードして、メモリ６に格納しておく。着信があると、中央制御装置４は、メモリ６から着信報知信号データを読み出し、振動制御部９と音響制御部７に渡す。振動制御部９の制御により、バイブレータ10で５秒程度リズム振動を発生させる。リズム振動の終了後に、音響制御部７の制御により、スピーカ８から0.5秒程度音声を発生させる。繰返制御部11により、このリズム振動と音声を繰り返し発生するように制御して、着信を報知する。このように長いリズム振動と短い音声とを組み合わせることで、使用者の注意を強く引く印象的な着信報知を行うことができる。また、データ量と電力消費も少なくてすむ。【選択図】図１
2005333347.tif 000002
【特許請求の範囲】
【請求項１】
リズム振動データと音響データを含む着信報知信号データを格納するメモリと、着信報知用振動を発生するバイブレータと、着信報知用音響を発生するスピーカを具備する携帯電話装置において、前記リズム振動データに従って前記バイブレータにリズム振動を発生させる振動制御部と、前記リズム振動に重ならないように前記リズム振動の１周期の終了後に前記音響データに従って前記スピーカに音響を発生させる音響制御部と、前記リズム振動と前記音響の組を繰り返し発生させる繰返制御部とを設けたことを特徴とする携帯無線通信装置。
【請求項２】
前記リズム振動の継続時間は、前記音響の継続時間より３倍以上長いことを特徴とする請求項１記載の携帯無線通信装置。
【請求項３】
前記リズム振動は、２種類以上のオン期間と３種類以上のオフ期間の組合せからなる単調でない断続的な振動であることを特徴とする請求項１記載の携帯無線通信装置。
【請求項４】
着信報知用振動を発生するバイブレータと着信報知用音響を発生するスピーカとを駆動して着信を報知する方法であって、着信を検知したときリズム振動データと音響データからなる着信報知信号データをメモリから読み出し、前記リズム振動データに従って前記バイブレータにリズム振動を発生させ、前記リズム振動に重ならないように前記リズム振動の１周期の終了後に前記音響データに従って前記スピーカに音響を発生させ、前記リズム振動と前記音響の組を繰り返し発生させることを特徴とする携帯無線通信装置の着信報知方法。
【請求項５】
前記リズム振動の継続時間は、前記音響の継続時間より３倍以上長いことを特徴とする請求項４記載の携帯無線通信装置の着信報知方法。
【請求項６】
前記リズム振動は、２種類以上のオン期間と３種類以上のオフ期間の組合せからなる単調でない断続的な振動であることを特徴とする請求項４記載の携帯無線通信装置の着信報知方法。
【請求項７】
携帯無線通信装置への着信を検知したとき、リズム振動データと音響データからなる着信報知信号データをメモリから読み出す読出ステップと、前記リズム振動データに従ってバイブレータにリズム振動を発生させる振動発生ステップと、前記リズム振動に重ならないように前記リズム振動の１周期の終了後に前記音響データに従ってスピーカに音響を発生させる音響発生ステップと、前記音響発生ステップの終了までに着信応答を検知しないとき、前記音響発生ステップの終了後に前記振動発生ステップに戻って前記リズム振動と前記音響の発生を繰り返し発生させる繰返ステップとを記述したことを特徴とする携帯無線通信装置の着信報知のためのコンピュータプログラム。
【請求項８】
前記リズム振動の継続時間は、前記音響の継続時間より３倍以上長いことを特徴とする請求項７記載のコンピュータプログラム。
【請求項９】
前記リズム振動は、２種類以上のオン期間と３種類以上のオフ期間の組合せからなる単調でない断続的な振動であることを特徴とする請求項７記載のコンピュータプログラム。
【請求項１０】
バイブレータに着信報知用のリズム振動を発生させるためのリズム振動データとスピーカに着信報知用の音響を発生させるための音響データと制御信号データからなる着信報知信号データに従って着信を報知する携帯無線通信装置において、前記リズム振動データは、長さの異なる２種類以上の振動オンデータと３種類以上の振動オフデータの組合せから構成されており、前記音響データは、前記音響の継続時間が前記リズム振動の継続時間の３分の１以下となるように構成されており、前記制御信号データは、前記リズム振動の終了後に前記音響を発生するように前記リズム振動と前記音響の発生の切替えを指示するデータから構成されていることを特徴とする携帯無線通信装置。
【発明の詳細な説明】
【技術分野】
【０００１】
本発明は、バイブレータの振動とスピーカからの再生音響とを用いて、使用者に着信を報知する携帯無線通信装置、着信方法及びプログラムに関する。
【背景技術】
【０００２】
携帯電話装置では、着信時にスピーカを鳴動させて、着信メロディなどを演奏して着信通知を行う。例えば、予め携帯電話内メモリに記憶させておいた曲の楽譜形式データを、CPUなどを使って着信時にデコードして演奏する。着信メロディの音量を、段階的に切り換えることもできる。また、マナーモードにおいては、バイブレータを振動させて、着信通知を行う。複数の振動パターンの中から、着信時の振動パターンを選択できるものもある。
【０００３】
バイブレータ振動と着信メロディを組み合わせて、着信報知の効果を高めたものもある。この場合は、例えば、シーケンスデータファイル内でバイブレータ制御専用の演奏チャンネルやトラックを予め確保しておき、シーケンスデータファイル内のいずれかのチャンネルに、バイブレータ制御用のデータを予め挿入しておく。着信メロディと振動を、一定時間毎に動作させることもできる。
【０００４】
従来の着信通知方法の例を説明する。特許文献１に開示された「無線通信装置」は、携帯電話において着信メロディと振動で着信を報知するものである。図５に示す手順に従って、着信メロディの第１〜第４音源データに基づいて、音源パルスを発音ドライブに出力する。発音ドライブ回路は、音源パルスに基づいてスピーカを駆動するため、スピーカから第１〜第４旋律を有する着信メロディを出力する。選択旋律の音源データに基づいて、旋律パルスを振動ドライブ回路に出力する。振動ドライブ回路は、旋律パルスに基づいて振動部を駆動するため、振動部は選択旋律に応じて振動することができる。
【０００５】
特許文献２に開示された「通信端末装置」は、音響再生と振動動作との相乗効果により、的確に着信報知を行うとともに、ユーザの使用感も向上させるものである。図６に示すように、CPUは、トーン発生器(GEN)とボリューム回路(VOL)とスピーカアンプ(SP-AMP)とスピーカ(SP)で、メロディ鳴動を行う。メロディ鳴動の開始・停止に合わせて、バイブレータモータ(M)の駆動を開始・停止する。
【０００６】
特許文献３に開示された「バイブレータ制御装置」は、専用の制御データを予め準備することなく、着信メロディに同期したバイブレータ制御を行なうものである。図７に示すように、記憶装置に記憶された曲データのうちの指定されたチャンネルについて、指定された閾値よりも低いノートまたは指定されたノートのオンをトリガとして、バイブレータを制御する。
【０００７】
特許文献４に開示された「携帯電話端末」は、メロディと振動によって、使用者が着信の種類を判別できるようにした携帯電話端末である。図８に示すように、楽音を発するスピーカとバイブレータを備える。演奏データは、スピーカで演奏するべき複数のパートの楽音の楽音データと、バイブレータが同調するべきパートの楽音を指定する指定データとを有する。楽音データに基づいて、楽音をスピーカに発生させる。指定データに基づいて、楽音と同調してバイブレータを振動させる。
【０００８】
特許文献５に開示された「着信報知装置」は、携帯端末機の着信報知時において、メロディのリズムに合わせて振動量を制御するものである。図９に示すように、メロディ発生信号とバイブレーションシグナルを出力する集積回路に、メロディ及び振動を発生する電磁誘導型アクチュエータを電気的に接続する。集積回路からメロディ発生信号、またはメロディ発生信号と振動発生信号をミキシングした信号を、電磁誘導型アクチュエータに加える。メロディのリズムに合わせて振動量が制御された着信報知動作を行うことができる。
【０００９】
特許文献６に開示された「振動アクチュエータの駆動方法」は、バイブレーション出力の振幅を大きくすることなく、呼び出し機能を高める方法である。図10に示すように、振動アクチュエータを携帯機器に搭載し、メロディパターンを複数用意する。メロディパターンを、携帯機器を呼び出す相手方に割り当てる。メロディパターンに従って、振動アクチュエータのバイブレーション出力の周波数を100Hz〜250Hzの範囲で変動させる。
【００１０】
特許文献７に開示された「携帯電話機」は、携帯電話の利用者に着信を報知する場合、周囲に迷惑を与えずに、かつ無駄な電力を消費せずに、的確に着信を報知して、利用者に着信を気づかせるようにしたものである。着信音発生部と、着信音発生部が発生した着信音の音量レベルを制御する音量制御部と、着信音の鳴動時間を設定したテーブルとを設け、図11に示す手順で制御する。テーブルに、第１の時間と、第１の時間に対応して音量レベルとバイブレータのONまたはOFFを表す情報とを、状態変更パラメータとして設定する。着信があると、テーブルに設定された鳴動時間の間、CPUは着信音発生部を駆動し、着信音を発生させる。音量制御部に対し、着信音を所定の音量レベルに制御させて、着信を報知する。鳴動時間が経過すると、テーブルの第１の時間の間、CPUは状態変更パラメータに基づく制御を行い、着信を報知する。
【特許文献１】特開2001-268171号公報
【特許文献２】特開2002-16672号公報
【特許文献３】特開2002-135366号公報
【特許文献４】特開2002-159066号公報
【特許文献５】特開2002-300231号公報
【特許文献６】特開2003-275681号公報
【特許文献７】特開2003-348190号公報
【発明の開示】
【発明が解決しようとする課題】
【００１１】
しかし、従来の着信報知装置では、着信メロディの演奏に意外性がないので、面白みがないという問題がある。また、スピーカを主に動作させるので、周囲の人には騒音となって迷惑を与え、静かな場所では利用できないという問題がある。着信メロディデータ量が多いので、データのダウンロードの通信料がかさむという問題もある。さらに、バイブレータとスピーカを同時に動作させているので、電力消費量が多いという問題もある。
【００１２】
本発明は、上記従来の問題を解決して、印象的で面白みのある着信報知を効果的に行うとともに、データ量と消費電力量を低減することを目的とする。
【課題を解決するための手段】
【００１３】
上記の課題を解決するために、本発明では、リズム振動データと音響データを含む着信報知信号データを格納するメモリと、着信報知用振動を発生するバイブレータと着信報知用音響を発生するスピーカを具備する携帯無線通信装置に、リズム振動データに従ってバイブレータにリズム振動を発生させる振動制御部と、リズム振動に重ならないようにリズム振動の１周期の終了後に音響データに従ってスピーカに音響を発生させる音響制御部と、リズム振動と音響の組を繰り返し発生させる繰返制御部とを設けた構成とした。また、リズム振動の継続時間は、音響の継続時間より３倍以上長く、リズム振動は、２種類以上のオン期間と３種類以上のオフ期間の組合せからなる単調でない断続的な振動である。
【発明の効果】
【００１４】
本発明では、上記のように構成したことにより、印象的で面白みのある着信報知を効果的に行うことができる。さらに、長いリズム振動と短い音響とを組み合わせることで、使用者の注意を強く引く着信報知を行うことができる。また、データ量と電力消費も少なくてすむ。
【発明を実施するための最良の形態】
【００１５】
以下、本発明を実施するための最良の形態について、図１〜図４を参照しながら詳細に説明する。
【実施例】
【００１６】
本発明の実施例は、携帯電話に着信があると、バイブレータにより５秒ほどリズム振動を発生させ、リズム振動の終了後にスピーカにより0.5秒ほど音声を発生させ、このリズム振動と音声を繰り返し発生して、着信を報知する携帯電話装置である。
【００１７】
本発明の実施例における携帯電話装置の基本的構成は、音響再生と振動動作で着信を報知する従来の携帯電話装置と同じである。リズム振動データと音声データからなる着信報知信号データを、WEBサーバからインターネットを介してダウンロードし、携帯電話装置のメモリに、発信者と対応させて格納しておく。着信時に、発信者に対応する着信報知信号データを読み出し、スピーカとバイブレータを駆動する。これらの点も、従来の携帯電話装置と同じである。したがって、詳しい説明は省略する。
【００１８】
図１は、本発明の実施例における携帯電話装置の概念図である。実施例として携帯電話装置を対象とするが、一般の携帯無線通信装置に適用できるものである。携帯無線通信装置には、携帯電話装置とPHSと無線呼出機（ページャ）が含まれる。図１において、アンテナ１は、携帯電話基地局との無線送受信用のアンテナである。無線部２は、無線送受信用の回路である。表示部３は、液晶表示装置である。中央制御装置４は、携帯電話装置の各部の機能を統括的に制御するCPUである。キー入力部５は、電話番号入力用の数字キーなどの各種入力キーである。メモリ６は、プログラムやデータを格納するROM、RAM、フラッシュメモリなどである。音響制御部７は、着信報知用の音声やメロディなどの音響信号を出力する回路である。スピーカ８は、音響信号を音に変換する装置である。振動制御部９は、リズム信号を出力する回路である。バイブレータ10は、振動を発生する装置である。繰返制御部11は、リズム振動と音響発生の繰返しを制御する手段である。音響制御部７と振動制御部９と繰返制御部11は、中央制御装置４とプログラムにより、その機能の一部または全部を実現するようにしてもよい。図１では、着信報知に関係深くない部分は省略してある。
【００１９】
図２は、着信報知処理の手順の概略を示す流れ図である。図３は、バイブレータ駆動期間とスピーカ駆動期間の関係を示す図である。図４は、バイブレータのオンオフ信号とバイブレータ駆動期間とスピーカ駆動期間の時間関係を示す図である。図４（ａ）は、TV番組「笑点」のテーマ音楽の一部を擬音的に示したものである。最後の「フホ」は音声である。図４（ｂ）は、その音楽からメロディを除いたリズムのみを示したものである。図４（ｃ）は、そのリズムをバイブレータのオンオフデータで示したものである。図４（ｄ）は、バイブレータの駆動期間を対応させて示したものである。
【００２０】
リズム振動は、このような単調でない断続的な振動である。単調でないとは、周期的でなく、オン期間が２種類以上で、オフ期間が３種類以上あることである。この例のように、リズミカルな音楽の１節から抽出したリズムを利用するのが最適である。単調な２拍子や３拍子のリズムより、変化のあるリズムのほうがより好ましい。図４（ｅ）は、スピーカの駆動期間を対応させて示したものである。スピーカ出力は、この例では音声であるが、一般的な音でもよい。一般的な音の場合は、音声データを音響データと呼ぶ。短い掛け声のようなものが最適であるが、ボンとかトンとかいう音でもよい。周りの人に騒音と感じられるような刺激的な電子音より、心地よい自然音にしたほうがより好ましい。着信報知信号データの形式は、リズム振動のオン時間とオフ時間を示すデータを並べたリズム振動データと、音声情報を表す音声データと、リズム振動と音声出力の切替えを示す制御信号データの組の形式にする。これと同機能の他の形式でもよい。
【００２１】
上記のように構成された本発明の実施例における携帯電話装置の着信報知動作を説明する。最初に、図１を参照しながら、着信報知動作の概略を説明する。あらかじめ着信報知信号データを図示しないサーバ装置よりダウンロードして、携帯電話装置のメモリ６に格納しておく。着信報知信号データは、リズム振動データと音声データと切替え用の制御信号データを含んでいる。携帯電話に着信があると、中央制御装置４は、メモリ６から着信報知信号データを読み出し、振動制御部９と音響制御部７に渡す。振動制御部９の制御により、バイブレータ10で５秒ほどリズム振動を発生させる。この時間は、リズム振動データにより決まる。リズム振動に重ならないようにリズム振動の１周期の終了後に、音響制御部７の制御により、スピーカ８から0.5秒ほど音声を発生させる。この時間は、音声データにより決まる。繰返制御部11により、このリズム振動と音声を繰り返し発生するように制御して、着信を報知する。
【００２２】
次に、図２を参照しながら、着信報知動作の手順を説明する。携帯電話装置は、待受け状態において、一定時間ごとに着信の有無をチェックする（ｓｔｅｐ１）。着信が無ければ、待受け状態を継続する。着信があると（ｓｔｅｐ１のＹＥＳ）、中央制御装置４は、発信者に対応する着信報知信号データを、メモリ６から検索して読み出し、振動制御部９と音響制御部７に渡す。振動制御部９は、リズム振動データに従ってバイブレータ10を制御して、５秒ほどリズム振動を発生させる（ｓｔｅｐ２）。リズム振動が終了すると、振動制御部９は、繰返制御部11にリズム振動終了を通知する。繰返制御部11は、音響制御部７に指示して、スピーカ８から0.5秒ほど音声を発生させる（ｓｔｅｐ３）。音声発生が終了すると、音響制御部７は、繰返制御部11に音声終了を通知する。繰返制御部11は、振動制御部９にリズム振動発生を指示する。これを、着信応答があるまで繰り返す（ｓｔｅｐ４）。着信応答があると、中央制御装置４は、繰返制御部11に着信報知処理の中止を指示する。繰返制御部11は、振動制御部９と音響制御部７に、リズム振動発生と音声発生の中止を指示する。
【００２３】
次に、図３と図４を参照しながら、バイブレータの駆動期間とスピーカの駆動期間の関係を説明する。図３に示すように、着信報知期間の開始後の約５秒間、バイブレータ10が駆動される。この間、スピーカ８はオフである。バイブレータ10の停止中に、約0.5秒間、スピーカ８が駆動される。これを繰り返す。図４に示すように、バイブレータ10の駆動期間中に、リズム振動データに従って、バイブレータ10を細かくオンオフする。スピーカ８の駆動期間中には、音声データに従って「フホ」という音声を発生する。
【００２４】
このように、リズム振動が途絶えて突然音声が聞こえると、人は変化したものに注意が向くので、短い音声でも効果的に注意を引くことができる。リズム振動が途切れて短い音声が発せられるので、意外性があって面白みもあり、印象的な着信報知ができる。リズム振動の継続時間を５秒程度とし、音声の継続時間を0.5秒程度としたが、リズム振動の継続時間は、３秒から10秒程度が適当であり、音声の継続時間は、0.3秒から１秒程度が適当である。リズム振動の継続時間は、音声の継続時間の３倍以上が適当である。着信報知期間のほとんどの時間は、バイブレータ10のリズム振動により報知しているので、周囲の人にとって騒音となることはない。また、リズム振動のデータ量は音声に比べて本来的に少なく、短い音声のデータ量も少ないので、着信報知用のデータ量が少なくてすみ、ダウンロードの際の通信料も少ない。
【００２５】
上記の説明では典型的な例を示したが、目的に応じて構成を適宜変更するもできる。携帯電話機を体から離している場合は、振動では着信に気づかないことがあるので、一定回数繰り返したら、通常の着信メロディに切り替えるようにしてもよい。メール着信を報知する場合は、着信応答があるまで繰り返す必要はないので、繰返し回数は１回または２、３回にとどめるとよい。繰返しは、１組の振動データと音響データに限らず、２組以上のデータを使うこともできる。着信報知信号データを発信者対応にしてもよいし、すべての着信を同じ着信報知信号データで報知するようにしてもよい。
【００２６】
着信報知信号データをダウンロードしないで、他の手段で携帯電話装置のメモリに格納してもよい。音声データを、使用者の声や発信者の声や第３者の声や好みの音などに変更できるようにしてもよい。リズム振動データを、使用者の好みのパターンのリズムに変更できるようにしてもよい。リズム振動と音声を交互に出力するように制御する代わりに、リズム振動と音声のそれぞれの休止期間のデータを０として互いに重ならないようにし、それぞれのデータを連続的に出力して、リズム振動と音声を実質的に交互に出力するようにしてもよい。
【００２７】
上記のように、本発明の実施例では、携帯電話装置を、バイブレータにより５秒ほどリズム振動を発生させ、リズム振動の終了後にスピーカにより0.5秒ほど音声を発生させ、このリズム振動と音声を繰り返し発生して、着信を報知する構成としたので、長いリズム振動と短い音声とを組み合わせて、面白みのある印象的な着信報知を行うことができる。
【産業上の利用可能性】
【００２８】
本発明の携帯電話装置は、静かな場所でも確実に着信を報知できるものであるので、会議中や観劇中にも使用できる携帯電話装置として最適である。PHS、PDA、無線呼出機（ページャ）等の携帯無線通信装置にも適用できる。リズム振動と音響の組合せで、携帯ゲーム装置の効果音を発生することもできる。
【図面の簡単な説明】
【００２９】
【図１】本発明の実施例における携帯電話装置の概念図、
【図２】本発明の実施例における携帯電話装置の着信報知処理の手順を示す流れ図、
【図３】本発明の実施例における携帯電話装置のバイブレータ駆動期間とスピーカ駆動期間の関係を示す図、
【図４】本発明の実施例における携帯電話装置のバイブレータ駆動信号とバイブレータ駆動期間とスピーカ駆動期間の関係を示す図、
【図５】着信メロディと振動で着信を報知する従来の携帯電話の動作流れ図、
【図６】音響再生と振動動作で着信を報知する従来の通信端末装置の概念図、
【図７】着信メロディに同期したバイブレータ制御を行なう従来のバイブレータ制御装置の概念図、
【図８】メロディと振動によって着信種類を判別できる従来の携帯電話端末のシステム概念図、
【図９】メロディのリズムに合わせて振動量を制御する従来の着信報知装置の概念図、
【図１０】呼び出し機能を高めた従来の振動アクチュエータの駆動装置の概念図、
【図１１】従来の携帯電話機の着信報知動作手順の流れ図である。
【符号の説明】
【００３０】
１  アンテナ
２  無線部
３  表示部
４  中央制御装置
５  キー入力部
６  メモリ
７  音響制御部
８  スピーカ
９  振動制御部
10  バイブレータ
11  繰返制御部
【図１】
2005333347.tif 000003
【図２】
2005333347.tif 000004
【図３】
2005333347.tif 000005
【図４】
2005333347.tif 000006
【図５】
2005333347.tif 000007
【図６】
2005333347.tif 000008
【図７】
2005333347.tif 000009
【図８】
2005333347.tif 000010
【図９】
2005333347.tif 000011
【図１０】
2005333347.tif 000012
【図１１】
2005333347.tif 000013